(57)【要約】【課題】鏡が脱落することのない安全なエレベータのかご室内鏡装置を提供する。【解決手段】エレベータのかご室２０内に設置される鏡装置１は、鏡１ａと、鏡１ａの裏面の補強板２と、補強板２に設けられ、埋込ねじ４ａを有する取付板４とを有している。鏡１ａの補強板２に、取付板４と別に取付ねじ１０が溶接により固着されている。取付板４は両面テープ５により補強板２に接着され、両面テープ５が剥がれても、溶接された取付ねじ１０により鏡１ａをかご室２０内に保持することができる。【選択図】  図１
2004161459.tif 000002
【特許請求の範囲】
【請求項１】
エレベータのかご室内に設置されるエレベータのかご室内鏡装置において、
鏡と、
前記鏡の裏面に接着され、埋込ねじが設けられた取付板とを備え、
前記鏡の裏面に脱落防止具を設けたことを特徴とするエレベータのかご室内鏡装置。
【請求項２】
前記脱落防止具は、前記鏡の裏面に固定された取付ねじを有することを特徴とする請求項１記載のエレベータのかご室内鏡装置。
【請求項３】
前記脱落防止具は、前記鏡の裏面に固定されるとともに取付ねじを含む追加取付板を有することを特徴とする請求項１記載のエレベータのかご室内鏡装置。
【請求項４】
前記脱落防止具は、前記鏡の裏面に固定されたフックと、前記フックに係合するとともに取付ねじが設けられた押え板とを有し、
前記押え板は前記フックに当接して回転が係止されることを特徴とする請求項１記載のエレベータのかご室内鏡装置。
【発明の詳細な説明】
【０００１】
【発明の属する技術分野】
本発明は、エレベータのかご室内鏡装置に係り、とりわけ脱落しないようになっているかご室内鏡装置に関する。
【０００２】
【従来の技術】
従来のエレベータのかご室内鏡装置の構成を図４に示す。従来、エレベータのかご室の壁面に設置されるかご室内鏡装置１は、鏡１ａを有している。鏡１ａの裏面に補強材としてのステンレス板２が接着剤で貼り付けられている。またステンレス板２の裏面に埋込ねじ４ａを有する取付板４が両面テープにより固着されている。また鏡１ａは額縁３により保持されている。
【０００３】
【発明が解決しようとする課題】
上述のように鏡１ａの裏面には埋込ねじ４ａを有する取付板４が固着されている。鏡１ａは取付板４の埋込ねじ４ａをかご室の壁面に通し、埋込ねじ４ａの先端をナットで固定することにより設置される。
【０００４】
しかしながら、両面テープ５の経年変化あるいは設置時の不具合により、取付板４から鏡１ａがエレベータかご２内に脱落することも考えられる。
【０００５】
本発明はこのような点を考慮してなされたものであり、鏡の脱落を未然に防止することができるエレベータのかご室内鏡装置を提供することを目的とする。
【０００６】
【課題を解決するための手段】
本発明は、エレベータのかご室内に設置されるエレベータのかご室内鏡装置において、鏡と、鏡の裏面に接着され、埋込ねじが設けられた取付板とを備え、鏡の裏面に脱落防止具を設けたことを特徴とするエレベータのかご室内鏡装置である。
【０００７】
本発明は、脱落防止具は、鏡の裏面に固定された取付ねじを有することを特徴とするエレベータのかご室内鏡装置である。
【０００８】
本発明は、脱落防止具は、鏡の裏面に固定されるとともに取付ねじを含む追加取付板を有することを特徴とするエレベータのかご室内鏡装置である。
【０００９】
本発明は、脱落防止具は、鏡の裏面に固定されたフックと、フックに係合するとともに取付ねじが設けられた押え板とを有し、押え板はフックに当接して回転が係止されることを特徴とするエレベータのかご室内鏡装置である。
【００１０】
【発明の実施の形態】
第１の実施の形態
以下、図面を参照して本発明の実施の形態について説明する。図１は本発明によるエレベータのかご室内鏡装置の第１の実施の形態を示す図である。
【００１１】
図１に示すように、エレベータのかご室内鏡装置１はエレベータのかご室２０の壁面に設置されるものである。鏡装置１は鏡１ａと、鏡１ａの裏面に接着されたステンレス製補強板２と、鏡１ａを保持する額縁３とを有し、額縁３の４隅は突き合わせて接合されている。
【００１２】
またステンレス製補強板２の裏面には、埋込ねじ４ａを有する取付板４が両面テープ５により固着されている。
【００１３】
また、鏡１ａの裏面に設けられたステンレス製補強板２に、取付ねじ（脱落防止具）１０が溶接により固着されている。
【００１４】
次にこのような構成からなる本実施の形態の作用について説明する。
【００１５】
まず取付板４の埋込ねじ４ａと、溶接された取付ねじ１０をエレベータのかご室２０の壁面に設けられた貫通孔に合わせ、壁面を貫通させる。
【００１６】
次にかご室２０の壁面の側板の背後からナット２１を埋込ねじ４ａおよび取付ねじ１０に締結し、鏡１ａをかご室２０の壁面に取り付ける。万が一、埋込ねじ４ａを有する取付板４を接合している両面テープ５が、経年変化または、貼りつけ精度不足により剥がれても、溶接された取付ねじ１０が鏡１ａをかご室２０の壁面に固定する。このため、鏡１ａがエレベータのかご室２０の床に脱落することがない。このため安全なエレベータを提供することができる。更に、埋込ねじ４ａまたは取付ねじ１０を鏡１ａの周縁部に配置する必要がなく、鏡１ａに対してヘアラインを設ける必要性もない。
【００１７】
第２の発明の実施の形態
次に図２により、本発明の第２の実施の形態について説明する。図２に示す第２の実施の形態は、脱落防止具の構成が異なるのみであり、他は図１に示す第１の実施の形態と略同一である。
【００１８】
図２に示すように、鏡１ａの裏面に設けられたステンレス製補強板２の裏に、埋込ねじ４ａを有する取付板４が両面テープ５により接合されている。また、補強板２に取付ねじ６ａを有する追加取付板（脱落防止具）６がスポット溶接で接合されている。
【００１９】
図２において、両面テープ５が、経年変化または、貼りつけ精度不足により剥がれても、取付板６の取付ねじ６ａがエレベータのかご室２０の壁面を貫通してナット２１により締結されているため、鏡１ａがかご室２０床に脱落することがなく、安全なエレベータを提供することができる。
【００２０】
第３の発明の実施の形態
次に図３により本発明の第３の実施の形態について説明する。図３に示す第３の実施の形態において、取付ねじ１０の代わりに、フック７と、取付ねじ９ａを有する押さえ板９とからなる脱落防止具を設けた点が異なるのみであり、他は図１に示す第１の実施の形態と略同一である。
【００２１】
図３（ａ）（ｂ）に示すように、鏡１ａの裏面に設けられたステンレス製補強板２の裏に、埋込ねじ４ａを有する取付板４が両面テープ５により接合され（図１参照）、また、鏡１ａの裏面に設けられたステンレス製補強板２にフック７がスポット溶接で接合されている。そしてこのフック７の溝に、押さえ板９の取付ねじ９ａが挿入される。
【００２２】
図３（ａ）（ｂ）において、埋込ねじ４ａと取付ねじ９ａがエレベータのかご室２０の裏面の貫通孔内に挿入され、埋込ねじ４ａと取付ねじ９ａにナット２１（図１（ｂ））が締結され、鏡１ａが保持される。フック７と取付ねじ９ａを有する押さえ板９は薄板のため、額縁３の段差が小さい場合でも鏡１ａの裏側に適切に配置できる。
【００２３】
図３（ａ）（ｂ）において、両面テープ５が、経年変化または、貼りつけ精度により剥がれても、取付ねじ９ａを有する押さえ板９がフック７に引っかかるため鏡１ａがエレベータのかご室２０の床に脱落することがなく、安全なエレベータを提供することができる。
【００２４】
なお、図３（ｃ）（ｄ）に示すように、フック７を側面台形状に構成し、押さえ板９を四角形状として、押さえ板９をフック内に挿着してもよい。この場合、押さえ板９の取付ねじ９ａをかご室２０の壁面背後からナット２１により締結けても押さえ板９が引っかかり回転することはなく、容易にナット２１を締付けることができる。
【００２５】
【発明の効果】
以上のように、本願発明によれば、鏡は埋込ねじを有する取付板のみではなく、脱落防止具によってもかご室の壁面に固定されることになる。このため鏡の脱落を防止し、安全なエレベータを提供することができる。また、脱落防止具を鏡裏面に自由に配置できることから、鏡表面にヘアライン等の処理をする必要がない。
【図面の簡単な説明】
【図１】本発明によるエレベータのかご室内鏡装置の第１の実施の形態を示す図。
【図２】本発明によるエレベータのかご室内鏡装置の第２の実施の形態を示す図。
【図３】本発明によるエレベータのかご室内鏡装置の第３の実施の形態を示す図。
【図４】従来のエレベータのかご室内鏡装置を示す全体図。
【符号の説明】
１  鏡装置
１ａ  鏡
２  ステンレス製補強板
３  額縁
４  取付板
４ａ  取付ねじ
５  両面テープ
６  追加取付板
６ａ  取付ねじ
７  フック
９  押さえ板
９ａ  取付ねじ
１０  取付ねじ
２０  かご室
【図１】
2004161459.tif 000003
【図２】
2004161459.tif 000004
【図３】
2004161459.tif 000005
【図４】
2004161459.tif 000006